(57)【要約】【課題】巻き付いた蔓生植物を支線を傷つけずに刃先で容易に切断でき、切断した蔓性植物も容易に除去できる蔓性植物巻き上がり防止装置を提供することである。【解決手段】筒体１８の筒体本体は、くり抜かれた中空部の半径が支線の半径より大きく支線の周囲を包囲して回動可能に配置され、筒体本体の外周面から突起部２２が突出して設けられ、突起部２２は蔓性植物１７が筒体１８に巻き付き昇柱したとき刃先を挿入して蔓性植物を切断するための隙間部を形成し、複数個の筒体１８を支線の下部から上部に向かって連続的に配列して筒体配列体１９を形成する。【選択図】  図３
2019122129.tif 000002
【特許請求の範囲】
【請求項１】
くり抜かれた中空部の半径が支線の半径より大きく前記支線の周囲を包囲して回動可能に配置される筒体本体と、
前記筒体本体の外周面から突出して設けられ蔓性植物が前記筒体に巻付き昇柱したとき刃先を挿入して前記蔓性植物を切断するための隙間部を形成する突起部とを有した筒体を備え、
複数個の前記筒体を前記支線の下部から上部に向かって連続的に配列して形成される筒体配列体を備えたことを特徴とする蔓性植物巻き上がり防止装置。
【請求項２】
前記筒体は、軸方向に開口して設けられ前記支線を前記中空部に挿入するための開口部と、前記筒体の中空部に前記支線を挿入した後に前記筒体の両端部に巻き付けられる巻き付け部とを有したことを特徴とする請求項１記載の蔓性植物巻き上がり防止装置。
【請求項３】
前記筒体は、蝶番で連結され合着されたときに筒体本体を形成し前記支線を包囲する２個の分割体と、前記２個の分割体が前記支線を包囲して合着されたときに前記蝶番の対面部で前記２個の分割体を係止する係止部とを有したことを特徴とする請求項１記載の蔓性植物巻き上がり防止装置。
【請求項４】
前記蔓性植物が巻き上がるのを阻止できる幅及び長さに形成された羽根を前記筒体の軸方向の一部に固定して取り付けたことを特徴とする請求項１乃至請求項３のいずれか１項に記載の蔓性植物巻き上がり防止装置。
【発明の詳細な説明】
【技術分野】
【０００１】
本発明は、電柱を支持する支線に蔓性植物が巻き上がるのを防止するための蔓性植物巻き上がり防止装置に関する。
【背景技術】
【０００２】
一般に、電柱は地上から上端部近くまで斜めに張架される支線によって支持補強されている。電柱の周囲に蔓性植物がある場合には、この支線に沿って蔓性植物が巻き上がって電柱の電線や充電部に達することがある。そうすると電柱の電線や充電部から蔓性植物を伝わって電流が地表へ流れ地絡事故となることがある。そこで、支線には蔓性植物巻き上がり防止装置が取り付けられ、蔓性植物の巻き上がりを防止している。
【０００３】
例えば、蔓性植物巻き上がり防止装置として筒体で形成されたものがある。筒体は蔓性植物が巻き上がらない太さ及び長さに形成され支線の一部に固定して配置される。図７は従来の蔓性植物巻き上がり防止装置を支線に配置した状態を示す説明図である。図７に示すように、電柱１１及び支線１２は下部が地中１３に埋設して設けられ、地上に露出した支線１２の地表面側には支線ガード１４が設けられている。この支線ガード１４から上方に露出した支線１２の一部に、蔓性植物巻き上がり防止装置１５が固定して設けられる。支線１２は碍子１６で２分割されており、碍子１６により電柱１１の電線や充電部から支線１２を伝わって電流が流れることを防止している。
【０００４】
蔓性植物巻き上がり防止装置１５は、蔓性植物１７が巻き上がらない太さ及び長さに形成された筒体であり、蔓性植物１７は蔓性植物巻き上がり防止装置１５に巻き付くことができないようになっている。つまり、蔓性植物１７が地中１３から延びて蔓性植物巻き上がり防止装置１５に達したとしても、蔓性植物１７はそれ以上に上方に延びることができずに電柱１１の電線や充電部に達することが防止される。
【０００５】
ここで、蔓性植物巻き上がり防止装置として、蔓性植物巻き上がり防止装置の装置本体を索条係止部で支線に固定し、装置本体の断面を多角形に形成し蔓性植物の巻き付きの接触面を小さくし、蔓性植物の巻き付きを防止するようにしたものがある（例えば特許文献１参照）。また、支線に回転自在に取り付けられた回転体に回転力を付与する風車（回転力付与機構）を設け、支線に固定されたストッパによって回転体の自由落下を規制し、回転体が回転して回転体の外周に形成された凹凸形状部分が上方に巻き上がろうとする蔓性植物に衝突し、蔓性植物は回転体の中心から遠ざかる方向に導かれ自重で垂れ下がるようにし、電柱を支える支線に対する蔓性植物の巻き上がりをより確実に防止するようにしたものがある（例えば、特許文献２参照）。
【先行技術文献】
【特許文献】
【０００６】
【特許文献１】特開平１０−３１３７６４号公報
【特許文献２】特開２００９−１３１１０２号公報
【発明の概要】
【発明が解決しようとする課題】
【０００７】
しかし、特許文献１、２のものはいずれも支線の一部に蔓性植物巻き上がり防止装置を固定して取り付け、蔓性植物が蔓性植物巻き上がり防止装置に巻き付くことができないようにしたものである。従って、蔓性植物巻き上がり防止装置へ至るまでの支線に巻き付いた蔓性植物の除去が困難である。
【０００８】
本発明の目的は、巻き付いた蔓生植物を支線を傷つけずに刃先で容易に切断でき、切断した蔓性植物も容易に除去できる蔓性植物巻き上がり防止装置を提供することである。
【課題を解決するための手段】
【０００９】
請求項１の発明に係る蔓性植物巻き上がり防止装置は、くり抜かれた中空部の半径が支線の半径より大きく前記支線の周囲を包囲して回動可能に配置される筒体本体と、前記筒体本体の外周面から突出して設けられ蔓性植物が前記筒体に巻き付き昇柱したとき刃先を挿入して前記蔓性植物を切断するための隙間部を形成する突起部とを有した筒体を備え、複数個の前記筒体を前記支線の下部から上部に向かって連続的に配列して形成される筒体配列体を備えたことを特徴とする。
【００１０】
請求項２の発明に係る蔓性植物巻き上がり防止装置は、請求項１の発明において、前記筒体は、軸方向に開口して設けられ前記支線を前記中空部に挿入するための開口部と、前記筒体の中空部に前記支線を挿入した後に前記筒体の両端部に巻き付けられる巻き付け部とを有したことを特徴とする。
【００１１】
請求項３の発明に係る蔓性植物巻き上がり防止装置は、請求項１の発明において、前記筒体は、蝶番で連結され合着されたときに筒体本体を形成し前記支線を包囲する２個の分割体と、前記２個の分割体が前記支線を包囲して合着されたときに前記蝶番の対面部で前記２個の分割体を係止する係止部とを有したことを特徴とする。
【００１２】
請求項４の発明に係る蔓性植物巻き上がり防止装置は、請求項１乃至請求項３のいずれか１項の発明において、前記蔓性植物が巻き上がるのを阻止できる幅及び長さに形成された羽根を前記筒体の軸方向の一部に固定して取り付けたことを特徴とする。
【発明の効果】
【００１３】
請求項１の発明によれば、支線の周囲を包囲した複数個の筒体を支線の下部から上部に向かって連続的に配列して筒体配列体を形成するので、筒体配列体が配置された箇所では支線が露出することがない。また、筒体は筒体本体の外周面から突出して設けられた突起部を有するので、筒体本体と突起部との間に蔓性植物を切断するための刃先を挿入する隙間部が形成されるので、筒体に巻き付いた蔓生植物を支線を傷つけずに刃先で容易に切断できる。また、筒体の筒体本体は、くり抜かれた中空部の半径が支線の半径より大きく支線の周囲を包囲して回動可能に配置されるので、切断した蔓性植物を引っ張ることにより筒体本体が回動し筒体に巻き付いた蔓性植物を容易に除去できる。
【００１４】
請求項２の発明によれば、請求項１の発明の効果に加え、筒体は軸方向に開口して設けられた開口部から支線を中空部に挿入できるので、筒体の支線への取り付けが容易に行える。また、筒体の中空部に支線を挿入した後に筒体の両端部に巻き付け部を形成するので、筒体が支線から外れることがない。
【００１５】
請求項３の発明によれば、請求項１の発明の効果に加え、筒体は、蝶番で連結された２個の分割体が合着されたときに筒体本体を形成し支線を包囲するので、筒体の支線への取り付けが容易に行え、筒体配列体が配置された箇所では支線が筒体で被覆された状態となる。また、２個の分割体が支線を包囲して合着されたときに蝶番の対面部で２個の分割体を係止部で係止するので、２個の分割体が外れることがなく筒体の中空部に支線を位置させることができる。
【００１６】
請求項４の発明によれば、請求項１乃至請求項３のいずれかの発明の効果に加え、蔓性植物が巻き上がるのを阻止できる幅及び長さに形成された羽根を筒体の軸方向の一部に固定して取り付けるので、蔓性植物の巻き上がりが羽根により阻止される。従って、羽根より上方に蔓性植物が延びることを防止できる。
【図面の簡単な説明】
【００１７】
【図１】本発明の第１実施形態に係る蔓性植物巻き上がり防止装置を支線に配置した状態を示す説明図。
【図２】図１のＸ−Ｘ線の断面図。
【図３】図１の蔓性植物巻き上がり防止装置に巻き上がった蔓性植物の除去作業の説明図。
【図４】本発明の第２実施形態の蔓性植物巻き上がり防止装置における筒体の構成図。
【図５】本発明の第３実施形態の蔓性植物巻き上がり防止装置における筒体の構成図。
【図６】図５の蔓性植物巻き上がり防止装置に巻き上がった蔓性植物の除去作業の説明図。
【図７】従来の蔓性植物巻き上がり防止装置を支線に配置した状態を示す説明図。
【発明を実施するための形態】
【００１８】
以下、本発明の実施形態を説明する。図１は本発明の第１実施形態に係る蔓性植物巻き上がり防止装置を支線に配置した状態を示す説明図である。また、図２は図１のＸ−Ｘ線の断面図であり、図２（ａ）は蔓性植物が巻き付いていない状態を示す断面図、図２（ｂ）は蔓性植物が巻き付いている状態を示す断面図である。図７と同一要素には同一符号を付し重複する説明は省略する。
【００１９】
図１において、本発明の第１実施形態に係る蔓性植物巻き上がり防止装置は、複数個の筒体１８を支線１２の下部から上部に向かって連続的に配列して筒体配列体１９を形成して構成される。図１では支線１２の碍子１６を挟んで２個の筒体１８を支線１２に配列した場合を示している。筒体１８の両端部には巻き付け部２０が設けられている。
【００２０】
図２（ａ）において、筒体１８は筒体本体２１と突起部２２とから構成される。筒体本体２１は、くり抜かれた中空部２３の半径が支線１２の半径より大きく支線１２の周囲を包囲して回動可能に配置される。図２（ａ）では支線１２が中空部２３の内面に接した状態を示している。これは、筒体本体２１の自重により筒体本体２１が支線１２に接するからである。
【００２１】
突起部２２は筒体本体２１の外周面から突出して設けられている。突起部２２については後述する。一方、筒体本体２１には筒体本体２１の軸方向に開口して開口部２４が設けられている。開口部２４は支線２１を中空部２３に挿入するための挿入口である。
【００２２】
開口部２４の大きさは支線１２を挿入できる大きさ（支線１２の直径より少し大きめ）に形成される。弾力性を有する合成樹脂で筒体本体２１を形成した場合には、開口部２４の大きさは支線１２の直径と同程度かやや小さい大きさとし、開口部２４を広げて支線１２を挿入する。これにより、筒体本体２１が支線１２から外れることを防止できる。図１では開口部２４が支線１２の直径より小さい場合を示している。
【００２３】
突起部２２は、図２（ｂ）に示すように、蔓性植物１７が筒体本体２１に巻き付き昇柱したとき、刃先を挿入して蔓性植物１７を切断するための隙間部２５を形成するものであり、図２（ａ）、図２（ｂ）では、５個の突起部２２が設けられた場合を示している。すなわち、筒体本体２１の外周面に３個及び開口部２４の両縁に１個ずつの合計５個の突起部２２が設けられた場合を示している。突起部２２は概ね外周面にπ／２（９０°）の間隔で設けられ、開口部２４の両縁の突起部２２は、開口部２４の開口の大きさの間隔を保って設けられている。この突起部２２により形成された隙間部２５に刃先を挿入して蔓性植物１７を切断することになる。また、突起部２２を設けたことにより蔓性植物１７の巻き付きの筒体本体２１への接触面を小さくしている。つまり、蔓性植物１７が接触する箇所は突起部２２の先端部となるので蔓性植物１７の巻き上がりを抑制できる。
【００２４】
図１において、筒体１８の両端部の巻き付け部２０は、筒体本体２１の中空部２３に支線１２を挿入した後に筒体本体２１の両端部に、例えば、粘着性テープを巻き付けて形成される。これにより、開口部２４が開口することを確実に防止し、開口部２４が支線１２の直径より大きい場合であっても、筒体本体２１が支線１２から外れることがないようにしている。
【００２５】
図３は、図１の蔓性植物巻き上がり防止装置に巻き上がった蔓性植物の除去作業の説明図である。図１と同一要素には同一符号を付し重複する説明は省略する。図１では、蔓性植物１７が地中１３から延びて、支線ガード１４、蔓性植物巻き上がり防止装置の下側の筒体配列体１９の筒体１８、碍子１６、蔓性植物巻き上がり防止装置の上側の筒体配列体１９の筒体１８、電柱１１まで巻き上がった状態を示している。
【００２６】
本発明の第１実施形態に係る蔓性植物巻き上がり防止装置は、蔓性植物１７が筒体１８を巻き上がっていくことはある程度許容している。その一方で、図２（ａ）、（ｂ）に示すように、筒体１８の筒体本体２１には、その外周面から突起部２２が突出して設けられていることから、蔓性植物が接触する箇所は突起部２２の先端部となり接触面が小さいので、蔓性植物の巻き上がりを抑制できる。従って、図１に示すように、電柱１１まで巻き上がるには時間がかかるが、筒体１８を巻き上がった蔓性植物１７を除去する必要がある。
【００２７】
そこで、図３に示すように、作業員２６は蔓生植物１７の除去作業を行う。その際に作業員２６は、筒体１８の筒体本体２１と蔓生植物１７との間の隙間部２５に刃先を挿入して蔓生植物１７を切断することになるが、支線１２が筒体本体２１により包囲されているので刃先が支線１２を傷つけることがない。つまり、筒体１８に巻き付いた蔓生植物１７を支線１２を傷つけることなく容易に切断できる。また、その際には、筒体１８の筒体本体２１は、くり抜かれた中空部２３の半径が支線１２の半径より大きく支線１２の周囲を包囲しているので筒体本体２１は回動可能であることから、切断した蔓性植物１７を引っ張ることにより筒体本体２１が回動し筒体１８に巻き付いた蔓性植物１７を容易に除去できる。
【００２８】
第１実施形態によれば、複数個の筒体１８を支線１２の下部から上部に向かって連続的に配列して形成される筒体配列体１９を備えているので、筒体１８が配置された箇所では支線１２が露出することがなく、筒体１８に巻き付いた蔓生植物１７を支線１２を傷つけずに刃先で容易に切断できる。また、筒体本体２１は回動可能であるので、切断した蔓性植物１７を引っ張ることにより筒体本体２１が回動し筒体１８に巻き付いた蔓性植物１７を容易に除去できる。さらには、筒体１８は軸方向に開口して設けられた開口部２４から支線１２を中空部２３に挿入できるので、筒体１８の支線１２への取り付けが容易に行え、さらには、筒体１８の両端部に巻き付け部２０を形成するので筒体１８が支線１２から外れることがない。
【００２９】
次に、本発明の第２実施形態を説明する。図４は本発明の第２実施形態の蔓性植物巻き上がり防止装置における筒体１８の構成図であり、図４（ａ）は第２実施形態における筒体１８の斜視図、図４（ｂ）は第２実施形態における筒体１８の上面図、図４（ｃ）は第２実施形態における筒体１８を開いた状態の上面図である。
【００３０】
図４に示すように、第２実施形態における筒体１８は、筒体本体２１に突起部２２が一体的に形成されており、突起部２２は断面が三角形に形成されている。図４では４個の突起部２２を有したものを示している。断面が三角形の突起部２２であっても、第１実施形態の場合と同様に、突起部２２は蔓性植物が筒体１８に巻き付いたときに刃先を挿入して蔓性植物を切断するための隙間部２３を形成できる。筒体１８の断面が星形となるからである。
【００３１】
また、第２実施形態における筒体１８は２個の分割体２７を蝶番２８で連結して構成され、蝶番２８の対面部で２個の分割体２７を係止するための係止部２９を有している。そして、２個の分割体２７が合着されたときに筒体本体２１を形成して支線１２を包囲し、係止部２９で蝶番２８の対面部を係止して筒体１８を形成する。係止部２９は、嵌合にて係止するようにしてもよいし、粘着テープやネジ止めで係止するようにしてもよい。
【００３２】
第２実施形態によれば、蝶番２８で連結された２個の分割体２７を合着したときに筒体本体２１を形成し支線１２を包囲する。従って、筒体１８の支線１２への取り付けが容易に行え、筒体１８が配置された箇所では支線１２が筒体１８で被覆された状態となる。また、蝶番２８の対面部で２個の分割体２７を係止部２９で係止するので、２個の分割体２７が外れることがなく筒体１８の中空部２３に支線１２を位置させることができる。
【００３３】
次に、本発明の第３実施形態を説明する。図５は本発明の第３実施形態の蔓性植物巻き上がり防止装置における筒体１８の構成図であり、図６は蔓性植物巻き上がり防止装置に巻き上がった蔓性植物の除去作業の説明図である。この第３実施形態は、図１及び図２に示した第１実施形態の筒体１８の軸方向の一部に羽根３０を追加して設けたものである。図１と同一要素には同一符号を付し重複する説明は省略する。
【００３４】
図５に示すように、第３実施形態の筒体１８には、蔓性植物１７が巻き上がるのを阻止できる幅及び長さに形成された羽根３０が筒体１８の軸方向の一部に設けられている。羽根３０は蔓性植物１７が巻き上がるのを阻止する。羽根３０は筒体１８の突起部２２に一体的に設ける。また、筒体１８の突起部２２に対し、後付で、嵌合機構や把持機構を用いて固定してもよいし、ネジ止めや粘着テープで固定してもよい。
【００３５】
図６に示すように、蔓性植物１７が地中１３から延びて羽根３０に達したとしても、蔓性植物１７はそれ以上に上方に延びることができない。これは、羽根３０は蔓性植物１７が巻き上がるのを阻止できる幅及び長さに形成されているからである。つまり、羽根３０が図７に示した従来の蔓性植物巻き上がり防止装置１５の役目をしている。
【００３６】
作業員２６は蔓生植物１７の除去作業にあたり、図３に示した実施形態１の場合と同様に、筒体１８の筒体本体２１と蔓生植物１７との間の隙間部２５に刃先を挿入して蔓生植物１７を切断することになるが、蔓性植物１７が羽根３０までしか巻き上がっていないので蔓生植物１７の除去作業は軽減される。また、たとえ羽根３０を超えて蔓性植物１７が巻き上がったとしても容易に蔓生植物１７を除去できる。
【００３７】
以上の説明では、図１に示した第１実施形態の筒体１８に羽根３０を設けた場合について説明したが、図４に示した第２実施形態の筒体１８に羽根３０を設けるようにしてもよい。
【００３８】
第３実施形態によれば、筒体１８の軸方向の突起部２２の一部に、蔓性植物１７が巻き上がるのを阻止できる幅及び長さに形成された羽根３０を固定して取り付けるので、蔓性植物１７の巻き上がりが羽根３０により阻止される。これにより、羽根３０より上方に蔓性植物１７が延びることを防止でき、しかも蔓性植物１７の除去作業が容易に行える。
【００３９】
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４０】
１１…電柱
１２…支線
１３…地中
１４…支線ガード
１５…蔓性植物巻き上がり防止装置
１６…碍子
１７…蔓性植物
１８…筒体
１９…筒体配列体
２０…巻き付け部
２１…筒体本体
２２…突起部
２３…中空部
２４…開口部
２５…隙間部
２６…作業員
２７…分割体
２８…蝶番
２９…係止部
３０…羽根
【図１】
2019122129.tif 000003
【図２】
2019122129.tif 000004
【図３】
2019122129.tif 000005
【図４】
2019122129.tif 000006
【図５】
2019122129.tif 000007
【図６】
2019122129.tif 000008
【図７】
2019122129.tif 000009